【手続補正書】
【提出日】平成19年7月23日(2007.7.23)
【手続補正１】
【補正対象書類名】特許請求の範囲
【補正対象項目名】全文
【補正方法】変更
【補正の内容】
【特許請求の範囲】
【請求項１】
ネットワークを介してリソース情報を散布する方法であって、
ソースエンティティで、リソース情報に関するコンシューマ要求を受け取ることと、
前記要求を満たし、少なくとも１つの配布判断基準を満足する、前記ネットワーク上で共有可能として指定されたリソースがあるかどうかを判定するために前記ソースエンティティで前記要求を処理することと、
前記処理の結果を示す応答を生成することと、
前記応答をコンシューマに転送することと
を含むことを特徴とする方法。
【請求項２】
前記ネットワークは、ユニバーサルプラグアンドプレイ（ＵＰｎＰ）ネットワークとして構成されていることを特徴とする請求項１に記載の方法。
【請求項３】
前記リソース情報は、リソースメタデータであり、前記少なくとも１つの配布判断基準は、前記リソースメタデータの散布を決定し、前記応答は、前記コンシューマの要求を満足するリソースメタデータを含むことを特徴とする請求項１に記載の方法。
【請求項４】
前記リソース情報は、リソースコンテンツであり、前記少なくとも１つの配布判断基準は、前記リソースコンテンツの散布を決定し、前記応答は、前記コンシューマの要求を満足するリソースコンテンツを含むことを特徴とする請求項１に記載の方法。
【請求項５】
前記少なくとも１つの配布判断基準は、少なくとも１つのリソースは前記要求を満足する場合に、前記少なくとも１つのリソースに関するリソース情報を受信することを許可される少なくとも１つの受信側エンティティを指定することを特徴とする請求項１に記載の方法。
【請求項６】
前記少なくとも１つの受信側エンティティは、レンダリングデバイスまたはコントロールポイントであることを特徴とする請求項５に記載の方法。
【請求項７】
前記少なくとも１つの配布判断基準は、識別された個人は前記応答の前記転送に対する条件としてその同意を提供することを要求されるかどうかを指定することを特徴とする請求項１に記載の方法。
【請求項８】
前記識別された個人は、前記少なくとも１つの配布判断基準に関連するリソースを前記ネットワーク上で共有可能として指定した個人に対応することを特徴とする請求項７に記載の方法。
【請求項９】
前記少なくとも１つの配布判断基準は、前記識別された個人は前記ソースエンティティに現在ログオンしている場合に前記識別された個人はその同意を与えたと考えられることを指定することを特徴とする請求項７に記載の方法。
【請求項１０】
前記識別された個人は、前記識別された個人のログオンセッションはアクティブ状態を有する時に前記ソースエンティティにログオンしていると考えられることを特徴とする請求項９に記載の方法。
【請求項１１】
前記識別された個人は、前記識別された個人は前記ソースエンティティを実施するコンソールに直接にログオンしている時に前記ソースエンティティにログオンしていると考えられることを特徴とする請求項９に記載の方法。
【請求項１２】
前記少なくとも１つの配布判断基準は、前記識別された個人はクエリに応答して前記転送を明示的に許可する場合に前記識別された個人はその同意を与えたと考えられることを指定することを特徴とする請求項７に記載の方法。
【請求項１３】
前記ソースエンティティは、別々にまたは追加的に呼び出すことができる配布判断基準の複数のセットをストアすることを特徴とする請求項１に記載の方法。
【請求項１４】
前記ソースエンティティは、ユーザが前記少なくとも１つの配布判断基準を変更することを可能にすることを特徴とする請求項１に記載の方法。
【請求項１５】
前記少なくとも１つの配布判断基準を変更することを可能にされる前記ユーザはまた、前記配布判断基準に関連する少なくとも１つのリソースを前記ネットワーク上で共有可能として指定していることを特徴とする請求項１４に記載の方法。
【請求項１６】
前記ソースエンティティは、ユーザが前記少なくとも１つの配布判断基準を変更することを防ぐことを特徴とする請求項１に記載の方法。
【請求項１７】
前記ネットワークへの新しい受信側エンティティの追加を自動的に検出することと、
前記新しい受信側エンティティの存在についてユーザに通知することと、
前記新しい受信側エンティティへのリソース情報の散布を決定する少なくとも１つの他の配布判断基準を前記ユーザが追加できるようにすることと
をさらに含むことを特徴とする請求項１に記載の方法。
【請求項１８】
前記処理は、リソースは前記要求で指定されたブラウズ条件または検索条件を満足するかどうかを判定することを含むことを特徴とする請求項１に記載の方法。
【請求項１９】
前記応答は、前記ブラウズ条件または前記検索条件を満足する少なくとも１つのリソースに関するリソースメタデータを識別することを特徴とする請求項１８に記載の方法。
【請求項２０】
前記処理は、リソースは前記要求で指定されたリソースロケータを満足するかどうかを判定することを含むことを特徴とする請求項１に記載の方法。
【請求項２１】
前記リソースロケータは、ＵＲＬ（ｕｎｉｆｏｒｍ  ｒｅｓｏｕｒｃｅ  ｌｏｃａｔｏｒ）であり、前記要求は、ハイパーテキスト転送プロトコル（ＨＴＴＰ）取り出し要求であることを特徴とする請求項２０に記載の方法。
【請求項２２】
前記応答は、前記要求を満足する少なくとも１つのリソースからとられたリソースコンテンツを識別することを特徴とする請求項２０に記載の方法。
【請求項２３】
第１要求を伴う第１動作において、
前記処理は、リソースは前記第１要求で指定されたブラウズ条件または検索条件を満足するかどうかを判定することを含み、
前記応答は、前記ブラウズ条件または前記検索条件を満足する少なくとも１つのリソースに関するリソースメタデータを識別し、前記リソースメタデータは、前記少なくとも１つのリソースを突き止めることができる場所を記述するリソースロケータを含み、
第２要求を伴う第２動作において、
前記処理は、リソースは前記第２要求で指定された前記リソースロケータを満足するかどうかを判定することを含み、
前記応答は、前記第２要求を満足する少なくとも１つのリソースからとられたリソースコンテンツを識別する
ことを特徴とする請求項１に記載の方法。
【請求項２４】
請求項１に記載の前記受信、前記処理、前記生成、および前記転送のそれぞれを実施する機械可読命令を含むことを特徴とするコンピュータ可読媒体。
【請求項２５】
ソースエンティティを使用するネットワークを介するリソース情報の散布に関する条件を定義する方法であって、
ユーザが、
前記ネットワーク上で共有される少なくとも１つのリソースと、
前記ネットワークを介する前記少なくとも１つのリソースの少なくとも一部に関する前記リソース情報の配布を決定する少なくとも１つの配布判断基準と
を選択することを可能にする、ユーザインターフェースプレゼンテーションを提供することと、
前記ユーザインターフェースプレゼンテーションを介して、前記少なくとも１つのリソースおよび前記少なくとも１つの配布判断基準の前記ユーザの選択を受け取ることと
を含むことを特徴とする方法。
【請求項２６】
前記ネットワークは、ユニバーサルプラグアンドプレイ（ＵＰｎＰ）ネットワークとして構成されていることを特徴とする請求項２５に記載の方法。
【請求項２７】
リソースの前記コレクションの１つは、リソースフォルダであり、前記少なくとも１つの配布判断基準は、前記リソースフォルダの少なくとも１つのメンバリソースに適用されることを特徴とする請求項２６に記載の方法。
【請求項２８】
リソースの前記コレクションの１つは、そのリソースを内部的に管理するために前記ソースエンティティによって使用されるリソースコンテナであり、前記少なくとも１つの配布判断基準は、前記リソースコンテナの少なくとも１つのメンバリソースに適用されることを特徴とする請求項２６に記載の方法。
【請求項２９】
前記コレクション内のメンバリソースは、そのめいめいの親リソースの共有可能状況を継承することを特徴とする請求項２６に記載の方法。
【請求項３０】
前記コレクション内のメンバリソースは、そのめいめいの親リソースに関連する前記配布判断基準を継承することを特徴とする請求項２６に記載の方法。
【請求項３１】
リソースの前記コレクションの１つの共有可能状況を除去し、これによって、リソースの前記コレクションの前記１つを共有解除として指定することをさらに含むことを特徴とする請求項２６に記載の方法。
【請求項３２】
前記ソースエンティティは、
リソースはリムーバブルメモリ媒体にストアされることと、
前記リソースは前記ソースエンティティに関して前記ネットワーク上でリモートにあることと、
前記リソースの共有を試みているユーザは前記リソースへのアクセスの許可を有しないことと、
前記リソースは隠しファイルまたは隠しサブフォルダにストアされていることと、
前記リソースは前記ソースエンティティが共有するように構成されているメディアタイプの所定のリストに従わないメディアタイプを有するファイルにストアされていることと  という条件の少なくとも１つが真である場合に、前記リソースに対応するリソース情報の前記共有を禁止することを特徴とする請求項２５に記載の方法。
【請求項３３】
エンティティからの要求に応答して前記少なくとも１つの配布判断基準に基づいて前記リソース情報の前記散布を制御することをさらに含むことを特徴とする請求項２５に記載の方法。
【請求項３４】
請求項２５に記載の前記受け取りおよび前記提供のそれぞれを実施する機械可読命令を含むことを特徴とするコンピュータ可読媒体。
【請求項３５】
ネットワークを介してリソース情報を散布するサーバであって
前記ネットワークを介して共有できるリソースの表示をストアするように構成されている共有リソースストアと、
ロジックと
を含み、前記ロジックは、
リソース情報に関するコンシューマ要求を受け取り、
前記要求を満たし、少なくとも１つの配布判断基準を満足する指定されたリソースが前記共有リソースストアにあるかどうかを判定するために前記要求を処理し、
前記処理の結果を示す応答を生成し、
前記応答をコンシューマに転送する
ように構成されている
ことを特徴とするサーバ。
【請求項３６】
請求項１から２３のいずれか１項に記載の方法を実行するように構成されていることを特徴とする請求項３５に記載のサーバ。
【請求項３７】
前記共有リソースストアは、前記リソースに関連するリソースメタデータをストアすることによって前記ネットワークを介して共有できるリソースの前記表示をストアするように構成されていることを特徴とする請求項３５に記載のサーバ。
【請求項３８】
前記共有リソースストアは、複数のリポジトリを含むことを特徴とする請求項３７に記載のサーバ。
【請求項３９】
前記複数のリポジトリは、前記サーバによって維持される別々のドライブに対応することを特徴とする請求項３８に記載のサーバ。
【請求項４０】
前記共有リソースストアは、リソースとは別々にそれに関連するリソースメタデータを提供し、その結果、前記リソースメタデータに簡単にアクセスできるようになっていることを特徴とする請求項３７に記載のサーバ。
【請求項４１】
前記共有リソースストアは、前記少なくとも１つの配布判断基準もストアすることを特徴とする請求項３７に記載のサーバ。
【請求項４２】
前記共有リソースストアは、前記リソースメタデータおよび前記少なくとも１つの配布判断基準のストアのために２つの別々のストアを割り当てることを特徴とする請求項４１に記載のサーバ。
【請求項４３】
前記共有リソースストアは、前記リソースメタデータおよび前記少なくとも１つの配布判断基準のストアのために単一のストアを割り当てることを特徴とする請求項４１に記載のサーバ。
【請求項４４】
ネットワークを介するリソースに関するリソース情報の散布に関連する条件を定義するサーバであって、
前記ネットワークを介して共有できるリソースの表示をストアするように構成されている共有リソースストアと、
ロジックと
を含み、前記ロジックは、
ユーザが
前記ネットワークを介して共有される少なくとも１つのリソースと、
前記ネットワークを介する前記少なくとも１つのリソースの少なくとも一部に関する前記リソース情報の配布を決定する少なくとも１つの配布判断基準と
を選択できるようにするユーザインターフェースプレゼンテーションを提供し、
前記ユーザインターフェースプレゼンテーションを介して前記少なくとも１つのリソースおよび前記少なくとも１つの配布判断基準の前記ユーザの選択を受け取る
ように構成されている
ことを特徴とするサーバ。
【請求項４５】
請求項２５から３３のいずれか１項に記載の方法を実行するように構成されていることを特徴とする請求項４４に記載のサーバ。
【請求項４６】
前記共有リソースストアは、前記リソースに関連するリソースメタデータをストアすることによって前記ネットワークを介して共有できるリソースの前記表示をストアするように構成されていることを特徴とする請求項４４に記載のサーバ。
【請求項４７】
前記共有リソースストアは、複数のリポジトリを含むことを特徴とする請求項４６に記載のサーバ。
【請求項４８】
前記複数のリポジトリは、前記サーバによって維持される別々のドライブに対応することを特徴とする請求項４７に記載のサーバ。
【請求項４９】
前記共有リソースストアは、リソースとは別々にそれに関連する前記リソースメタデータを提供し、その結果、前記リソースメタデータに簡単にアクセスできるようになっていることを特徴とする請求項４６に記載のサーバ。
【請求項５０】
前記共有リソースストアは、前記少なくとも１つの配布判断基準もストアすることを特徴とする請求項４６に記載のサーバ。
【請求項５１】
前記共有リソースストアは、前記リソースメタデータおよび前記少なくとも１つの配布判断基準のストアのために２つの別々のストアを割り当てることを特徴とする請求項５０に記載のサーバ。
【請求項５２】
前記共有リソースストアは、前記リソースメタデータおよび前記少なくとも１つの配布判断基準のストアのために単一のストアを割り当てることを特徴とする請求項５０に記載のサーバ。